(57)【要約】      （修正有）【課題】適正な重量や構造の永久磁石を用いた磁気治療器と電磁石を用いた電気磁気治療器とを組合せ、磁気効果、温熱効果及びマッサージ効果を十分に発揮できる複合磁気治療器を提供する。【解決手段】複数の永久磁石を備え治療面に当てる磁気マット１０と、複数の電磁コイルを内蔵した複数の磁気発生部２５と、前記複数の磁気発生部に電力を供給する電源部と、を備え、前記複数の磁気発生部は、治療面の形状に応じて回動する回動部２３を有し、前記磁気マットの上から前記治療面に当てる電気磁気治療器と、を備えたことを特徴とする複合磁気治療器とした。【選択図】図７
0003175552.tif 000002
【実用新案登録請求の範囲】
【請求項１】
複数の永久磁石を備え治療面に当てる磁気マットと、
複数の電磁コイルを内蔵した複数の磁気発生部と、前記複数の磁気発生部に電力を供給する電源部と、を備え、前記複数の磁気発生部は、治療面の形状に応じて回動する回動部を有し、前記磁気マットの上から前記治療面に当てる電気磁気治療器と、
を備えたことを特徴とする複合磁気治療器。
【請求項２】
前記複数の磁気発生部に内蔵される前記複数の電磁コイルは、隣接する磁気発生部同士の電磁コイルの極性を同極としたことを特徴とする請求項１に記載の複合磁気治療器。
【請求項３】
前記磁気マットは、治療面に応じて複数のサイズを備えたことを特徴とする請求項１又は２に記載の複合磁気治療器。
【考案の詳細な説明】
【技術分野】
【０００１】
本考案は、磁気治療器に関するものであり、詳しくは、電磁石と永久磁石とを組み合わせた複合磁気治療器に関するものである。
【背景技術】
【０００２】
従来、磁気を人体に作用させることにより血液の流れをよくして、肩こりなどの筋肉のこりをほぐす磁気治療が行われている。また、この磁気治療は、一般的に磁気が血液内のイオン化されていない物質をイオン化し、マイナスイオンは血液を弱アルカリ性にするため、これが人体の健康上に良好な結果をもたらすといわれている。
【０００３】
磁気治療を行う磁気治療器としては、例えば、複数個の永久磁石を内部に収納し、用途に応じて様々な形状（例えば、布団、マット、サポータ、腹巻、ベスト、ネックレス等）のものがよく知られている。このような永久磁石を利用した磁気治療器は、永久磁石の個数、磁気の強さ、極性（Ｎ極、Ｓ極）の配列など、治療用途に合わせて様々な形態が工夫されている。また、永久磁石の形状や素材で磁力（磁束密度）の強さを確保する改善なども行われている。
【０００４】
また、電磁石を用いた電気磁気治療器としては、磁気発生器としての電磁コイル（つまり、コイルに電流を流すことで磁石となる電磁石）などに一般家庭用電源（交流、５０Ｈｚ／６０Ｈｚ）からの電気を流すことにより、人工的に交流（変動）磁場を発生させるものが知られている。このような電気磁気治療器は、電磁コイルから発生する交流磁場を利用することにより、永久磁石（定常磁場）を用いた磁気治療器よりも効果的な磁気治療を行うことができる。
【０００５】
上記のような電気磁気治療器としては、特許文献１に示すように、可変トランスを介して磁気発生器への電力供給を制御することで、磁気発生器からの磁力（磁束密度）の強さを調整することができる電気磁気治療器が開示されている。
【先行技術文献】
【特許文献】
【０００６】
【特許文献１】特開平１１−４８９７号公報
【考案の概要】
【考案が解決しようとする課題】
【０００７】
ところが、上述したような永久磁石を用いた磁気治療器は、様々な形状により人体へのフィット性はあるものの、永久磁石の一定の定常磁場による単一な治療しか行えなかった。また、電気磁気治療器は、主に軸心とコイルから構成される電磁コイル（例えば、軸心は磁性化しやすい鉄、コイルは電気の伝導率の高い銅線などが用いられる。）では、限られた電気磁気治療器の本体内部の空間の中で、軸心の素材や形状、コイルの素材、線径や巻数などの組合せを選択することで、低電力で効率よく交流磁場の補強を行うようにしているが、その結果、電気磁気治療器の本体の重量が嵩んだり、治療面が急激に温度上昇したり、また振動による騒音が発生したりするという問題点があった。
【０００８】
また、特許文献１の電気磁気治療器においても、強い磁力を発生させるために磁気発生器へ最大の電力を供給すると、治療面の温度上昇や振動による騒音が発生するため、連続しての治療時間には制限（例えば、３０分）があり、長時間の治療はできないという問題点があった。
【０００９】
本考案は上記課題を解決するものであり、適正な重量や構造の永久磁石を用いた磁気治療器と電磁石を用いた電気磁気治療器とを組合せ、磁気効果、温熱効果及びマッサージ効果を十分に発揮できる複合磁気治療器を提供することを目的とする。
【課題を解決するための手段】
【００１０】
請求項１に係る本考案は、複数の永久磁石を備え治療面に当てる磁気マットと、複数の電磁コイルを内蔵した複数の磁気発生部と、前記複数の磁気発生部に電力を供給する電源部と、を備え、前記複数の磁気発生部は、治療面の形状に応じて回動する回動部を有し、前記磁気マットの上から前記治療面に当てる電気磁気治療器と、を備えたことを特徴とする複合磁気治療器とした。
【００１１】
請求項２に係る本考案は、請求項１に記載の複合磁気治療器において、前記複数の磁気発生部に内蔵される複数の電磁コイルは、隣接する磁気発生部同士の電磁コイルの極性を同極としたことを特徴とする。
【００１２】
請求項３に係る本考案は、請求項１又は請求項２に記載の複合磁気治療器において、前記磁気マットは、治療面に応じて複数のサイズを備えたことを特徴とする。
【考案の効果】
【００１３】
請求項１に記載の考案によれば、複数の永久磁石を備えた磁気マットを治療面に当て、その上からさらに電気磁気治療器を治療面に当てるため、例えば、単体でも最大磁力［２００ｍＴ（ミリテラス）］を確保し、磁気効果の認められる磁気マットの定常磁場による治療効果に加え、さらに、電気磁気治療器の電磁コイルから発生する交流磁場による治療効果が期待できる。また、電気磁気治療器の電磁コイルから発生する交流磁場は、一般家庭用電源の周波数（５０Ｈｚ／６０Ｈｚ）単位で極性が変動（例えば、Ｓ極→Ｎ極→Ｓ極→Ｎ極の繰り返し）する。このため、磁気マットの複数の永久磁石は、交流磁場の極性と異なる場合は引き合い同極の場合は反発する。つまり、磁気マットの複数の永久磁石も一般家庭用電源の周波数に応じて磁気マットの内部で規則正しく振動する。このため、磁気マットの複数の永久磁石の規則正しい振動により治療面に程よいマッサージ効果与えることができ、より効果的な磁気治療を行うことが可能となる。また、磁気マットの複数の永久磁石は磁気マット内で振動する為、騒音などが発生することがない。
【００１４】
さらに、電気磁気治療器の電磁コイルは、電力を供給することにより電気磁気治療器の治療表面の温度が高くなる。このため、従来の電気磁気治療器では、温熱効果を治療面に加味することができるが、強い交流磁場を確保するために供給する電力を大きくすると、電気磁気治療器の治療表面の温度が使用に耐えないほど加熱する虞があった。また、長時間の磁気治療によっては、治療面に低温火傷を引き起こす危険性もあった。これに対して、本実施形態における電気磁気治療器の治療表面は、直接治療面に当てるのではなく磁気マットを介して治療面に当てられるため、磁気マットを介した電気磁気治療器の治療表面の適度な温度上昇による温熱効果が期待できるとともに、長時間使用しても治療面に低温火傷などが生じることがない。
【００１５】
また、磁気マットは磁気効果の認められる定常磁場を備えているため、電気磁気治療器に過度の強い交流磁場を発生させる必要がないため、電磁コイルの軸心となる鉄心の積層枚数や多くしたり形状を変更したり、また、コイル（例えば、銅線）の銅線の径を太くしたり巻数を増やしたりする必要がなく、電気磁気治療器の重量を、日常の使用に耐えうる適度な重量とすることができる。
【００１６】
請求項２に記載の考案によれば、複数の磁気発生部に内蔵される複数の電磁コイルは、隣接する磁気発生部同士の電磁コイルの極性を同極になるように配置している。これにより、同極の電磁コイルから発生する交流（変動）磁場が互いの相乗効果により強い交流磁場となり、低電力でも効果的な磁気治療を行うことができ、電気代を節約することができる。
【００１７】
請求項３に記載の考案によれば、前記磁気マットは、治療面に応じて複数のサイズを備えている。このため、治療面（例えば、人体の腕、腰、背中等）の範囲に応じた最適の磁気マットを選択して使用することで、磁気治療の効果を向上させることができる。
【図面の簡単な説明】
【００１８】
【図１】本実施形態に係る磁気マットの構造を示す正面図である。
【図２】図１に示す磁気マットのＡ−Ａにおける断面図である。
【図３】本実施形態に係る電気磁気治療器の構造を示す斜視図である。
【図４】図３に示す電気磁気治療器のＢ−Ｂにおける断面の分解図である。
【図５】図３に示す電気磁気治療器のＢ−Ｂにおける断面図である。
【図６】本実施形態に係る電気磁気治療器の電気回路を説明するブロック図である。
【図７】本実施形態に係る複合磁気治療器の使用例を説明する図である。
【考案を実施するための形態】
【００１９】
以下、本考案に係る複合磁気治療器の一実施形態について、図１〜７を参照して具体的に説明する。
【００２０】
本実施形態に係る複合磁気治療器は、図１及び図２に示す磁気マット１０と、図３〜６に示す電気磁気治療器２０とで構成される。
［磁気マットの構成］
【００２１】
磁気マット１０は、図１及び図２に示すように、複数の永久磁石１３が所定の間隔で配置されたシート１２と、このシート１２を覆うカバー１１とで構成されている。シート１２は、一枚の長方形の不識布（例えば、ポリプロピレン）の中に複数（例えば、６行×９段＝５４個）の永久磁石１３が所定の間隔（例えば、４０ｍｍ間隔）で埋設されている。永久磁石１３は、例えば、１個の形状が直径１０ｍｍ、高さ３ｍｍの円柱で、磁束密度１００ｍＴ（ミリテラス）のフェライト磁石が用いられる。なお、永久磁石１３としては上記フェライト磁石以外でも、所定の磁束密度が得られるものであればよい。
【００２２】
カバー１１は、図１及び図２に示すように、磁気治療を行う治療面（以下、患部とも言う。）に当たる治療表面側１１ａと、治療表面側１１ａの裏側の治療裏面側１１ｂと、中間部材１１ｃ（例えば、セラミックスを練り込んだポリエステル）とからなり、シート１２を治療表面側１１ａと中間部材１１ｃの間に挟んで一体の長方形の磁気マット１０を構成している。そして、永久磁石１３の作用により治療表面側１１ａ側に、所定の磁力（２００ｍＴ以上）の定常磁場が形成される。なお、カバー１１の治療表面側１１ａ及び治療裏面側１１ｂの素材としては、例えば、コットン製の生地が用いられる。
【００２３】
上述してきたように、磁気マット１０は、シート１２に埋設された複数の永久磁石１３の間隔を確実に保持しつつ、シート１２及びカバー１１に柔軟性を有する素材を用いている。このため、治療面の形状に応じて治療表面側１１ａをフィットさせることができ、永久磁石１３の定常磁場による磁気治療の効果を高めることができる。
【００２４】
また、本実施形態における磁気マット１０は、面積（サイズＳ、Ｍ、Ｌ）の異なる複数種類の磁気マット１０［例えば、サイズＳ（縦４００ｍｍ、横２８０ｍｍ）、サイズＭ（縦４４０ｍｍ、横３２０ｍｍ）、サイズＬ（縦４８０ｍｍ、横３６０ｍｍ）等］が用意されており、治療面の部位（例えば、腕、背中、足、腰など）に応じて、最適なサイズの磁気マット１０を選択することができる。
［電気磁気治療器の構成］
【００２５】
電気磁気治療器２０は、図３に示すように、一般家庭用電源（交流、５０Ｈｚ／６０Ｈｚ）からの電気を供給することで磁力（交流磁場）を発生させる交流磁場発生装置２６と、交流磁場発生装置２６に一般家庭用電源からの電気を供給する電源部３０とで構成されている。
【００２６】
交流磁場発生装置２６は、略矩形厚板状の外形を有する一対の磁気発生ユニット２６Ｒ，２６Ｌが互いの長辺側を対向させた状態で、長辺に沿う方向を回動軸方向として回動可能に回動部２３により連結されている。各磁気発生ユニット２６Ｒ，２６Ｌは、それぞれ２箇所の磁気発生部２５を有する。つまり、交流磁場発生装置２６には合計４箇所の磁気発生部２５を備えている。
【００２７】
磁気発生ユニット２６Ｒ，２６Ｌ内の磁気発生部２５は、図４及び図５に示すように、表面カバー２１と裏面カバー２２とで形成された内部空間に、Ｕ字形状の軸心４２の両端に２個のコイル４１が挿入されて、それぞれ２個の電磁コイル４０を形成している。この電磁コイル４０は、電流を供給することで磁場を発生させる電磁石として機能する。
【００２８】
電磁コイル４０の軸心４２は、Ｕ字形状に複数枚（例えば、２０枚）の珪素鋼板（幅０．３ｍｍ）を重ねて形成されている。コイル４１は、ボビン４１ａ（ポリアミド系樹脂）に銅線４１ｂ（線径０．１ｍｍ）を所定回数（例えば、１１，９６０回）巻付けて形成されている。なお、軸心４２やコイル４１に用いられる素材は、上記珪素鋼板や銅線に限らず、透磁性に優れた他の素材を用いてもよい。
【００２９】
磁気発生ユニット２６Ｒ，２６Ｌの表面カバー２１及び裏面カバー２２はＡＢＳ樹脂で形成されている。そして、図４及び図５に示すように、固定ネジ２１ａを表面カバー２１のネジ挿入部２１ｂから挿入し、裏面カバー２２のネジ止め部２２ａに螺着することで、表面カバー２１と裏面カバー２２との間に２箇所の磁気発生部２５を有する磁気発生ユニット２６Ｒ，２６Ｌが形成される。そして、各磁気発生部２５の２個の電磁コイル４０の表面カバー２１の上部には、磁気治療の為に磁気マット１０の上から治療面に当てる治療表面２１ｃが形成される。つまり、磁気発生ユニット２６Ｒ，２６Ｌの同じ側の板面である表面カバー２１の治療表面２１ｃに交流磁場が形成される。
【００３０】
図３に示すように、回動部２３は、磁気発生ユニット２６Ｒの回動部２３ａと磁気発生ユニット２６Ｌの回動部２３ｂとを連結する連結部として機能するとともに、一対の磁気発生ユニット２６Ｒ，２６Ｌの表面カバー２１に形成される治療表面２１ｃ側に、水平状態から所定の角度（最大略９０度）まで手動で回動することを可能にしている。これにより、治療面である人体の曲面に応じて、交流磁場が形成される治療表面２１ｃを最適に当てる（図７参照）ことができ、交流磁場による磁気治療の効果を向上させることができる。なお、本実施形態においては、一対の磁気発生ユニット２６Ｒ，２６Ｌを連結する回動部２３を境として一対の磁気発生ユニット２６Ｒ，２６Ｌを回動可能としたが、これに限らす、例えば、交流磁場発生装置２６の中心から４箇所の磁気発生部２５がそれぞれ所定の角度で治療表面２１ｃ側に回動（又は変形）するようにしてもよい。
【００３１】
本実施形態に係る磁気発生部２５は、図３に示すように、磁気発生部２５同士で隣接する電磁コイル４０の極性を同極になるように配置している。これにより、同極の電磁コイル４０の上部に位置する治療表面２１ｃから発生する交流磁場は、同極の磁場の互いの相乗効果でより強い交流磁場を形成することができ、低電力でも効果的な磁気治療を行うことができる。
【００３２】
電源部３０は、箱型の外形を有し、一般家庭用電源（１００Ｖ）から交流磁場発生装置２６の磁気発生部２５へ電力を供給する。具体的には、コンセント３１を一般家庭用電源のコンセント差込口に差し込んで、電源部３０の電源スイッチ３０ａを操作することにより、磁気発生部２５の電磁コイル４０に電力が供給される。
【００３３】
また、電源部３０はタイマー機能を備えている。タイマー機能とは、電源部３０の操作スイッチ３０ｂを操作することで、電気磁気治療器２０を作動させる時間を、例えば、最大１時間以内に１０分刻みで設定できる機能であり、設定した時間が経過すると、自動的に電源部３０から磁気発生部２５の電磁コイル４０への電力の供給が遮断される。このように、タイマー機能を電源部３０に付加することで、例えば、電源を消し忘れた場合でも、設定時間が経過すると自動的に電源ＯＦＦとすることができ、安全性の高い電気磁気治療器２０とすることができる。
［電気磁気治療器の回路構成］
【００３４】
電気磁気治療器２０の交流磁場発生装置２６の内部は、図６に示す電力の供給回路を構成している。すなわち、一般家庭用電源からコンセント３１により電源部３０に電力が供給される。電源部３０は、交流磁場発生装置２６の電磁コイル４０のコイル４１に所定の交流電流を供給する。このとき、上述したように、電源部３０はタイマー機能を備えており、電源部３０のタイマーで設定した時間の間、電磁コイル４０のコイル４１に所定の交流電流が供給される。
【００３５】
また、交流磁場発生装置２６の内部の電力の供給回路には、複数（４個）のサーモスタット４３が設けられている。このサーモスタット４３は、電力の供給回路を保護するためのものであり、供給回路の温度が所定値以上の高温になると、電磁コイル４０のコイル４１に供給される交流電流を遮断する。この場合、電源部３０は、タイマーが残っていた場合でも、サーモスタット４３は強制的に交流電流を遮断して供給回路を保護する。そして、供給回路の温度が所定値未満に低下すると、再度供給回路への交流電流の供給が開始される。
【００３６】
このように、サーモスタット４３を設けることで、交流磁場発生装置２６の内部の電力の供給回路の温度が過度に高温になることを防ぐことができ、常に交流磁場発生装置２６の表面カバー２１に形成される治療表面２１ｃの温度を一定温度以下に保つことができる。
［複合磁気治療器の使用例］
【００３７】
以下、図７を参照して、本実施形態に係る磁気マット１０と電気磁気治療器２０を用いた使用例を説明する。
【００３８】
図７に示すように、治療面としての患部が左手の手首近傍の場合、まず、本実施形態に係る複合磁気治療器の使用者は、磁気マット１０の治療裏面側１１ｂを表（つまり、患部に治療表面側１１ａを当てた状態）にして、磁気マット１０を患部に巻きつける。次に、電気磁気治療器２０の交流磁場発生装置２６を、治療表面２１ｃを下にして磁気マット１０の上から患部に当てる。
【００３９】
このとき、電気磁気治療器２０の交流磁場発生装置２６は、一対の磁気発生ユニット２６Ｒ，２６Ｌを、治療表面２１ｃを下にして手首近傍の曲局部に沿うように回動部２３を回動させる。これにより、磁気マット１０及び電気磁気治療器２０の交流磁場発生装置２６を、磁気治療を施したい患部の形状に沿って密着させることができる。
【００４０】
この後、電気磁気治療器２０の電源部３０の電源スイッチ３０ａ、タイマー機能を設定するための操作スイッチ３０ｂ（図３参照）を設定することで、患部に対する磁気治療が開始される。
【００４１】
上述してきた実施形態によれば、患部の形状に応じて、複数の永久磁石１３を備えた磁気マット１０を当て、その上からさらに電気磁気治療器２０の交流磁場発生装置２６を当てるため、単体でも最大磁力（磁束密度）が２００ｍＴ（ミリテラス）を確保して磁気効果がある磁気マット１０の定常磁場による治療効果に加え、さらに、電気磁気治療器２０の電磁コイル４０から発生する交流磁場による治療効果も併せて期待することができる。
【００４２】
また、電気磁気治療器２０の電磁コイル４０から発生する交流磁場は、一般家庭用電源の周波数に応じて極性が変動するため、磁気マット１０の複数の永久磁石１３も電磁コイル４０から発生する交流磁場の周波数による極性の変動に応じて規則正しく振動する。このため、磁気マット１０の複数の永久磁石１３の規則正しい振動により治療面に程よいマッサージ効果与えることができ、より効果的な磁気治療を行うことが可能となる。また、磁気マット１０の複数の永久磁石１３は、磁気マット１０のシート１２内で振動する為、騒音などが発生することがない。
【００４３】
電気磁気治療器２０の電磁コイル４０は、電力を供給することにより電気磁気治療器２０の交流磁場発生装置２６の治療表面２１ｃの温度が高くなる。このため、磁気マット１０を介して患部に温熱効果を期待することができる。また、交流磁場発生装置２６の治療表面２１ｃは、直接患部に当てるのではなく磁気マット１０を介して患部に当てられるため、長時間使用しても患部に低温火傷などが生じることがない。
【００４４】
また、磁気マット１０は磁気効果の認められる定常磁場［２００ｍＴ（ミリテラス）］を備えているため、電気磁気治療器２０に過度の強い交流磁場を発生させる必要がないため、電磁コイル４０の軸心４２の重量や形状を適正なものとすることができ、また、ボビン４１ａに巻きつける銅線４１ｂの径を太くしたり巻数を増やしたりする必要がなく、電気磁気治療器２０の交流磁場発生装置２６の重量を、日常の使用に耐えうる適度な重量とすることができる。
【００４５】
さらに、４箇所の磁気発生部２５に内蔵される８個の電磁コイル４０は、隣接する磁気発生部２５同士の電磁コイル４０の極性を同極になるように配置（図３参照）している。これにより、同極の電磁コイル４０から発生する交流磁場が互いの相乗効果により強い交流磁場となり、低電力でも効果的な磁気治療を行うことができ、電気代を節約することができる。
【００４６】
また、磁気マット１０と電気磁気治療器２０を併用することで、例えば、患部の状態に合わせて、磁気治療を長時間行いたい場合は、磁気マット１０だけを長時間患部に当てるだけでも磁気治療を行うことができる。そして、電気磁気治療器２０は、例えば、タイマー機能で設定できる時間だけ併用するようにすれば、患部に負担の少ない磁気治療を長時間行うことも可能である。
【００４７】
なお、本考案は上述した実施形態に限定されるものではなく、本考案の要旨を逸脱しない範囲内で種々の改良、変形が可能であることはいうまでもない。
【符号の説明】
【００４８】
１０  磁気マット
１３  永久磁石
２０  電気磁気治療部
２３  回動部
２５  磁気発生部
２６  交流磁場発生装置
３０  電源部
４０  電磁コイル
【図１】
0003175552.tif 000003
【図２】
0003175552.tif 000004
【図３】
0003175552.tif 000005
【図４】
0003175552.tif 000006
【図５】
0003175552.tif 000007
【図６】
0003175552.tif 000008
【図７】
0003175552.tif 000009